(57)【要約】【課題】映像光を適正に反射するとともに、背面側からの景色等の外光の透過をより鮮明にすることができる透明性を有する反射スクリーン及び映像表示装置を提供する。【解決手段】反射スクリーン１０は、映像源ＬＳから投射された映像光の一部を反射して映像を表示する反射スクリーンであって、光透過性を有し、単位光学形状２２１が背面側の面に複数配列された光学形状層２２と、単位光学形状２２１の映像光が入射する位置に複数の島状に形成され、入射光の一部を反射し、入射光のその他の少なくとも一部を透過させる反射層２３とを備える。【選択図】図５
2020013044.tif 000002
【特許請求の範囲】
【請求項１】
映像源から投射された映像光の一部を反射して映像を表示する反射スクリーンであって、
光透過性を有し、単位光学形状が背面側の面に複数配列された光学形状層と、
前記単位光学形状の前記映像光が入射する位置に複数の島状に形成され、入射光の一部を反射し、入射光のその他の少なくとも一部を透過させる反射層と、
を備える反射スクリーン。
【請求項２】
請求項１に記載の反射スクリーンにおいて、
前記反射層は、映像源側の面が粗面であり、入射光の一部を拡散反射すること、
を特徴とする反射スクリーン。
【請求項３】
請求項１又は請求項２に記載の反射スクリーンにおいて、
前記光学形状層及び前記反射層の背面側の面に、光透過性を有し、配列された複数の前記単位光学形状間の凹凸を埋める充填層を備えること、
を特徴とする反射スクリーン。
【請求項４】
請求項１から請求項３までのいずれか１項に記載の反射スクリーンにおいて、
前記光学形状層は、背面側の面に、前記単位光学形状が同心円状に複数配列されたサーキュラーフレネルレンズ形状を有すること、
を特徴とする反射スクリーン。
【請求項５】
請求項４に記載の反射スクリーンにおいて、
前記単位光学形状は、当該反射スクリーンの表示領域外に位置する点を中心として同心円状に複数配列されていること、
を特徴とする反射スクリーン。
【請求項６】
請求項１から請求項５までのいずれか１項に記載の反射スクリーンにおいて、
前記反射層は、誘電体膜により形成されていること、
を特徴とする反射スクリーン。
【請求項７】
請求項１から請求項６までのいずれか１項に記載の反射スクリーンが複数枚積層されていること、
を特徴とする反射スクリーン。
【請求項８】
請求項１から請求項７までのいずれか１項に記載の反射スクリーンと、
前記反射スクリーンに映像光を投射する映像源と、
を備える映像表示装置。
【発明の詳細な説明】
【技術分野】
【０００１】
本発明は、反射スクリーン及び映像表示装置に関するものである。
【背景技術】
【０００２】
従来、映像源から投射された映像光を反射又は透過して表示するスクリーンとして、様々なものが開発されている（例えば、特許文献１参照）。なかでも、透明性を有するスクリーンは、映像光を投射した際には映像が良好に視認できるスクリーンとして使用でき、かつ、映像光を投射しない不使用時等にはスクリーンの向こう側の景色が透けて見えるので、意匠性の高さ等から需要が高まっている。
【先行技術文献】
【特許文献】
【０００３】
【特許文献１】特開平９−１１４００３号公報
【発明の概要】
【発明が解決しようとする課題】
【０００４】
近年、このような透明性を有するスクリーンは、自動車等のフロントウインドウやサイドウインドウ等に配置して、自動車の速度や、方向指示器の状態、障害物の接近等の注意喚起等の表示を、運転者の視線を逸らすことなく視認させる検討がなされている。このような透明性を有するスクリーンを自動車等のウインドウに配置する場合、運転者の視界を安全に確保する観点から、その透過率が、所定値以上でなければならない等の条件がある。
【０００５】
ここで、このような透明性を有するスクリーンに設けられる反射層は、映像源（プロジェクタ）から投射された映像光を拡散反射させるとともに、スクリーンの背面側からの景色等の外光を透過させるために、誘電体膜や、金属材料による蒸着膜等により形成されている。ここで、反射層に誘電体膜を用いた場合、膜厚に関係なくその反射率（透過率）が決まってしまうので、所望の反射率（透過率）に調整するのに反射層の材料の選定や変更が必要となり、調整自体が困難となる問題が生じてしまう。
【０００６】
また、反射層に金属蒸着膜を用いた場合、厚みを変更することによりその透過率を調整できるが、入射した光の減衰量が誘電体膜に比して多いため、光の透過量及び反射量が減少するといった光の利用効率の低下という問題が生じてしまい、何れの場合でも入射する光の反射率と、透過率の調整が困難な場合があった。そのため、映像光の反射と、背面側からの景色等の外光の透過とを適正に両立させるのが困難であった。
【０００７】
本発明の課題は、映像光を適正に反射するとともに、背面側からの景色等の外光の透過をより鮮明にすることができる透明性を有する反射スクリーン及び映像表示装置を提供することである。
【課題を解決するための手段】
【０００８】
本発明は、以下のような解決手段により、前記課題を解決する。なお、理解を容易にするために、本発明の実施形態に対応する符号を付して説明するが、これに限定されるものではない。
第１の発明は、映像源（ＬＳ）から投射された映像光の一部を反射して映像を表示する反射スクリーン（１０）であって、光透過性を有し、単位光学形状（２２１）が背面側の面に複数配列された光学形状層（２２）と、前記単位光学形状の前記映像光が入射する位置に複数の島状に形成され、入射光の一部を反射し、入射光のその他の少なくとも一部を透過させる反射層（２３）と、を備える反射スクリーンである。
第２の発明は、第１の発明の反射スクリーン（１０）において、前記反射層（２３）は、映像源側の面が粗面であり、入射光の一部を拡散反射すること、を特徴とする反射スクリーンである。
第３の発明は、第１の発明又は第２の発明の反射スクリーン（１０）において、前記光学形状層（２２）及び前記反射層（２３）の背面側の面に、光透過性を有し、配列された複数の前記単位光学形状（２２１）間の凹凸を埋める充填層（２４）を備えること、を特徴とする反射スクリーンである。
第４の発明は、第１の発明から第３の発明までのいずれかの反射スクリーン（１０）において、前記光学形状層（２２）は、背面側の面に、前記単位光学形状（２１２）が同心円状に複数配列されたサーキュラーフレネルレンズ形状を有すること、を特徴とする反射スクリーンである。
第５の発明は、第４の発明の反射スクリーン（１０）において、前記単位光学形状（２２１）は、当該反射スクリーンの表示領域外に位置する点（Ｃ１）を中心として同心円状に複数配列されていること、を特徴とする反射スクリーンである。
第６の発明は、第１の発明から第５の発明までのいずれかの反射スクリーン（１０）において、前記反射層（２３）は、誘電体膜により形成されていること、を特徴とする反射スクリーンである。
第７の発明は、第１の発明から第６の発明までのいずれかの反射スクリーン（１０）が複数枚積層されていること、を特徴とする反射スクリーン（４０）である。
第８の発明は、第１の発明から第７の発明までのいずれかの反射スクリーン（１０，４０）と、前記反射スクリーンに映像光を投射する映像源（ＬＳ）と、を備える映像表示装置（１）である。
【発明の効果】
【０００９】
本発明によれば、映像光を適正に反射するとともに、背面側からの景色等の外光の透過をより鮮明にすることができる透明性を有する反射スクリーン及び映像表示装置を提供することができる。
【図面の簡単な説明】
【００１０】
【図１】第１実施形態の映像表示装置１を説明する図である。
【図２】第１実施形態の映像表示装置１を自動車のフロントウインドウ２に配置した例を示す図である。
【図３】第１実施形態のスクリーン１０の層構成を説明する図である。
【図４】第１実施形態の光学形状層２２を背面側（−Ｚ側）から見た図である。
【図５】第１実施形態の光学形状層２２に設けられた反射層２３を説明する図である。
【図６】第１実施形態の反射層２３の製造方法の一例を示す図である。
【図７】第１実施形態のフロントウインドウ２の画面上下方向（Ｙ方向）における映像光及び外光の様子を説明する図である。
【図８】第２実施形態のスクリーン４０の構成を説明する図である。
【図９】第２実施形態のスクリーン４０の別な形態１を示す図である。
【図１０】第２実施形態のスクリーン４０の別な形態２を示す図である。
【発明を実施するための形態】
【００１１】
以下、図面等を参照して、本発明の実施形態について説明する。なお、図１を含め、以下に示す各図は、模式的に示した図であり、各部の大きさ、形状は、理解を容易にするために、適宜誇張している。
本明細書中において、形状や幾何学的条件を特定する用語、例えば、平行や直交等の用語については、厳密に意味するところに加え、同様の光学的機能を奏し、平行や直交と見なせる程度の誤差を有する状態も含むものとする。
本明細書中において、記載する各部材の寸法等の数値及び材料名等は、実施形態としての一例であり、これに限定されるものではなく、適宜選択して使用してよい。
【００１２】
本明細書中において、板、シート等の言葉を使用している。一般的に、厚さの厚い順に、板、シート、フィルムの順で使用されており、本明細書中でもそれに倣って使用している。しかし、このような使い分けには、技術的な意味は無いので、これらの文言は、適宜置き換えることができるものとする。
本明細書中において、スクリーン面とは、スクリーン全体として見たときにおける、スクリーンの平面方向となる面を示すものであり、スクリーンの画面（表示面）に平行であるとする。
【００１３】
（第１実施形態）
図１は、第１実施形態の映像表示装置１を説明する図である。図１（ａ）は、映像表示装置１の斜視図であり、図１（ｂ）は、映像表示装置１を側面側から見た図である。
図２は、第１実施形態の映像表示装置１を自動車のフロントウインドウに配置した例を示す図である。図２（ａ）は、車内側から見た自動車ＶＣの運転席周辺を示した図であり、図２（ｂ）は、図２（ａ）におけるフロントウインドウ２のｂ−ｂ断面図である。
【００１４】
ここで、理解を容易にするために、図１を含め以下に示す各図において、適宜、ＸＹＺ直交座標系を設けて示している。この座標系では、スクリーン１０の画面左右方向をＸ方向、画面上下方向をＹ方向とし、スクリーン１０の厚み方向をＺ方向とする。スクリーン１０の画面は、ＸＹ面に平行であり、スクリーン１０の厚み方向（Ｚ方向）は、スクリーン１０の画面に直交する。
また、スクリーン１０の厚み方向における映像源側の正面方向に位置する観察者Ｏ１から見て、画面左右方向の右側を＋Ｘ側、左側を−Ｘ側とし、画面上下方向の上側を＋Ｙ側、下側を−Ｙ側とし、厚み方向における背面側（裏面側、車外側）を−Ｚ側、映像源側（観察者側、車内側）＋Ｚ側とする。
【００１５】
映像表示装置１は、図１に示すように、スクリーン１０、映像源ＬＳ等を有している。本実施形態のスクリーン１０は、映像源ＬＳから投影された映像光Ｌを反射して、その映像源側の画面（表示領域）に映像を表示可能である。このスクリーン１０の詳細に関しては、後述する。
本実施形態の映像表示装置１は、図２（ａ）に示すように、自動車ＶＣのフロントウインドウ２及びその近傍に配置されている。具体的には、映像表示装置１は、スクリーン１０が自動車ＶＣのフロントウインドウ２の全面に配置され、映像源ＬＳが自動車ＶＣの内装パネル３の内部に配置されている。これにより、本実施形態の映像表示装置１は、自動車の速度や、方向指示器の状態、障害物の接近等の注意喚起等の表示をフロントウインドウ２の運転者の視界を妨げない位置に表示することができ、自動車ＶＣの搭乗者のうち主に運転手は、視線を大きく逸らすことなく、各種情報を確認することができる。
【００１６】
映像源ＬＳは、映像光Ｌをスクリーン１０へ投影する映像投射装置（プロジェクタ）である。本実施形態の映像源ＬＳは、短焦点型のプロジェクタである。
この映像源ＬＳは、映像表示装置１の使用状態において、スクリーン１０の画面（表示領域）を映像源側（＋Ｚ側）の正面方向（スクリーン面の法線方向）から見た場合に、スクリーン１０の画面左右方向（Ｘ方向）の中央であって、スクリーン１０の画面よりも上下方向下方側（−Ｙ側）に位置している。
映像源ＬＳは、スクリーン１０の厚み方向（Ｚ方向）において、スクリーン１０の映像源側（＋Ｚ側）の表面からの距離が従来の汎用プロジェクタに比べて大幅に近い位置から、斜めに映像光Ｌを投影できる。したがって、従来の汎用プロジェクタに比べて、映像源ＬＳは、スクリーン１０までの投射距離が短く、投射された映像光Ｌがスクリーン１０に入射する入射角度や、入射角度の変化量（最小値から最大値までの変化量）が大きい。
【００１７】
なお、フロントウインドウ２に設けられたスクリーン１０は、映像源ＬＳ（プロジェクタ）から投射された映像光を拡散反射することにより映像を表示する。そのため、液晶表示デバイス、有機ＥＬデバイス等の映像源から映像光を投射しても、スクリーン１０には鮮明な映像を表示することはできない。
【００１８】
フロントウインドウ２は、図２（ｂ）に示すように、車内側から順に、第１ガラス板３１、第１中間層３２、スクリーン１０、第２中間層３３、第２ガラス板３４が積層される、いわゆる合わせガラスの形態により構成されている。
第１ガラス板３１は、フロントウインドウ２の最も運転者側（車内側）に配置される透明な部材である。第１ガラス板３１としては、例えば、ソーダライムガラス（青板ガラス）、硼珪酸ガラス（白板ガラス）、石英ガラス、ソーダガラス、カリガラス等の材料を用いることができる。また、第１ガラス板３１の厚みは、例えば、２〜３ｍｍの範囲とすることが好ましい。
【００１９】
第１中間層３２は、第１ガラス板３１とスクリーン１０との間に設けられる層である。第１ガラス板３１及びスクリーン１０は、第１中間層３２により接合される。第１中間層３２は、フロントウインドウ２の破損時に、第１ガラス板１０の破片が飛散するのを防止するために設けられている。第１中間層３２としては、例えば、ＰＶＢ（ポリビニルブリラール）を用いることができる。第１中間層３２の厚みは、０．３〜０．８ｍｍの範囲とすることが好ましい。また、第１中間層３２の屈折率は、第１ガラス板３１、スクリーン１０の光学形状層２２（後述する）と同等であることが望ましい。
【００２０】
第２中間層３３は、第２ガラス板３４とスクリーン１０との間に設けられる層である。第２ガラス板３４及びスクリーン１０は、第２中間層３３により接合される。第２中間層３３は、フロントウインドウ２の破損時に、第２ガラス板３４の破片が飛散するのを防止するために設けられている。第２中間層３３は、第１中間層３２と同様に、例えば、ＰＶＢ（ポリビニルブリラール）を用いることができ、第２中間層３３の厚みは、０．３〜０．８ｍｍの範囲とすることが好ましい。また、第２中間層３３の屈折率は、第２ガラス板３４、スクリーン１０の充填層２４（後述する）と同等であることが望ましい。
第２ガラス板３４は、フロントウインドウ２の最も車外側に配置される透明な部材である。第２ガラス板３４は、第１ガラス板３１と同様に、例えば、ソーダライムガラス（青板ガラス）、硼珪酸ガラス（白板ガラス）、石英ガラス、ソーダガラス、カリガラス等の材料を用いることができる。また、第２ガラス板３４の厚みは、例えば、２〜３ｍｍの範囲とすることが好ましい。
【００２１】
なお、本実施形態のスクリーン１０は、上述のように、中間層（３２、３３）を介して２枚のガラス板（３１、３４）で挟持される合わせガラスの形態で構成されるフロントウインドウ２に内蔵される例で説明したがこれに限定されるものでない。スクリーン１０は、フロントウインドウの車内側の面や、車外側の面に接合層を介して貼付されるようにしてもよい。
【００２２】
スクリーン１０は、映像源ＬＳが投射した映像光Ｌの一部を映像源側（車内側、＋Ｚ側）に位置する観察者Ｏ１（自動車ＶＣの搭乗者）側へ向けて拡散反射して映像を表示し、一部の映像光を背面側（車外側、−Ｚ側）へ透過する半透過型の反射スクリーンである。このスクリーン１０は、映像光が投射されていない場合、スクリーン１０の背面側（車外側、−Ｚ側）からの外光を観察者側（車内側）に透過する透明性を有している。
これにより、自動車ＶＣの搭乗者（運転手）は、映像光が投射されていない場合、フロントウインドウ２の全面を通して、車外の景色を観察することができ、映像光がフロントウインドウ２（スクリーン１０）の少なくとも一部に投射されている場合は、映像光が投射されている部分については映像光を視認することができ、それ以外の部分については、車外の景色を観察することができる。また、映像光が投射されている部分についても、若干の車外の景色を観察することができる、いわゆるシースルーの状態で映像を確認することができる。
スクリーン１０の画面（表示領域）は、使用状態において、映像源側（＋Ｚ側）の観察者Ｏ１側から見て長辺方向が画面左右方向に平行な略矩形形状である。
【００２３】
図３は、第１実施形態のスクリーン１０の層構成を説明する図である。図３では、スクリーン１０の映像源側（車内側、＋Ｚ側）の画面中央（画面の幾何学的中心）となる点Ａ（図１参照）を通り、画面上下方向（Ｙ方向）に平行であって、スクリーン面に垂直（厚み方向であるＺ方向に平行）な断面の一部を拡大して示している。
図４は、第１実施形態の光学形状層２２を背面側（車外側、−Ｚ側）から見た図である。理解を容易にするために、図４では、光学形状層２２のみを示している。
図５は、第１実施形態の光学形状層２２に設けられた反射層２３を説明する図である。図５（ａ）は、第１実施形態の反射層２３を示す図であり、図５（ｂ）は、反射層２３の別な形態を示す図である。図５の各図は、光学形状層２２及び反射層２３を背面側（車外側、−Ｚ側）から見た部分拡大図であり、充填層２４は省略して示している。
なお、本実施形態では、スクリーン１０（フロントウインドウ２）は、平板状に形成される例で説明するが、これに限定されるものでなく、曲面状に形成されていてもよい。
【００２４】
スクリーン１０は、映像光Ｌの一部を拡散反射して映像を観察者Ｏ１（自動車の搭乗者）に対して表示し、かつ、映像光の一部を背面側（−Ｚ側）に透過するとともに、背面側（車外側）からの景色等の外光の一部を車内側に透過して観察者Ｏ１に対して視認させる。
スクリーン１０は、図３に示すように、映像源側（車内側、＋Ｚ側）から順に、基材層２１、光学形状層２２、反射層２３、充填層２４を備えている。
基材層２１は、光透過性を有するシート状の部材である。基材層２１は、その背面側（車外側、−Ｚ側）に、光学形状層２２が一体に形成されている。基材層２１は、光学形状層２２を形成する基材（ベース）となる層である。
基材層２１は、例えば、高い光透過性を有するＰＥＴ（ポリエチレンテレフタレート）等のポリエステル樹脂、アクリル樹脂、スチレン樹脂、アクリルスチレン樹脂、ＰＣ（ポリカーボネート）樹脂、脂環式ポリオレフィン樹脂、ＴＡＣ（トリアセチルセルロース）樹脂等により形成される。
【００２５】
光学形状層２２は、基材層２１の背面側（−Ｚ側）に形成された光透過性を有する層である。光学形状層２２の背面側の面には、単位光学形状（単位レンズ）２２１が複数配列されて設けられている。
図４に示すように、本実施形態では、単位光学形状２２１は、真円の一部形状（円弧状）であり、スクリーン１０の画面外（表示領域外）に位置する点Ｃ１を中心として、同心円状に複数配列されている。即ち、光学形状層２２は、背面側の面に、点Ｃ１をフレネルセンターとする、いわゆるオフセット構造のサーキュラーフレネルレンズ形状を有している。
【００２６】
この点Ｃ１は、図４に示すように、スクリーン１０の画面（表示領域）の左右方向の中央であって画面下方に位置しており、スクリーン１０を正面方向から見た場合、点Ｃ１と点Ａとは、Ｙ方向に平行な同一直線上に位置している。なお、スクリーン１０の光学的中心Ｃ１は、スクリーン１０の幾何学的中心Ａに対して左右方向（Ｘ方向）にずれた位置に配置されるようにしてもよい。
【００２７】
単位光学形状２２１は、図３に示すように、スクリーン面に直交する方向（Ｚ方向）に平行であって、単位光学形状２２１の配列方向に平行な断面における断面形状が、略三角形形状である。
単位光学形状２２１（単位レンズ）は、背面側に凸であり、映像光が入射する第１斜面（レンズ面）２２１ａと、これに対向する第２斜面（非レンズ面）２２１ｂとを有している。１つの単位光学形状２２１において、第２斜面２２１ｂは、頂点ｔ１を挟んで第１斜面２２１ａの下側に位置している。
【００２８】
第１斜面２２１ａがスクリーン面に平行な面となす角度は、θ１である。第２斜面２２１ｂがスクリーン面に平行な面となす角度は、θ２である。角度θ１，θ２は、θ２＞θ１という関係を満たしている。
【００２９】
単位光学形状２２１の配列ピッチは、Ｐ１であり、単位光学形状２２１の高さ（厚み方向における頂点ｔ１から単位光学形状２２１間の谷底となる点ｖ１までの寸法）は、ｈ１である。
理解を容易にするために、図３では、単位光学形状２２１の配列ピッチＰ１、角度θ１，θ２は、単位光学形状２２１の配列方向において一定である例を示している。しかし、本実施形態の単位光学形状２２１は、実際には、配列ピッチＰ１は一定であるが、角度θ１が単位光学形状２２１の配列方向においてフレネルセンター（光学的中心）となる点Ｃ１から離れるにつれて次第に大きくなっている。
角度θ１，θ２、配列ピッチＰ１等は、映像源ＬＳからの映像光の投射角度（スクリーン１０への映像光の入射角度）や、映像源の画素（ピクセル）の大きさ、スクリーン１０の画面サイズ、各層の屈折率等に応じて、適宜設定してよい。例えば、単位光学形状２２１の配列方向に沿って、配列ピッチＰ１が変化し、角度θ１，θ２が変化する形態としてもよい。
【００３０】
光学形状層２２は、光透過性の高いウレタンアクリレート系、ポリエステルアクリレート系、エポキシアクリレート系、ポリエーテルアクリレート系、ポリチオール系、ブタジエンアクリレート系等の紫外線硬化型樹脂により形成されている。
なお、本実施形態では、光学形状層２２を構成する樹脂として、紫外線硬化型樹脂を例に挙げて説明するが、これに限らず、例えば、電子線硬化型樹脂等の他の電離放射線硬化型樹脂により形成してもよい。
【００３１】
反射層２３は、入射した光の一部を拡散反射し、その他を透過する半透過型の反射層である。本実施形態の反射層２３は、単位光学形状２２１の第１斜面２２１ａ上に形成されている。
反射層２３は、図５（ａ）に示すように、第１斜面２２１ａ上において複数の島状に形成されている。ここで、複数の島状とは、第１斜面２２１ａ上において、円形、楕円、矩形等の多角形、その他の任意の形状が、複数、規則的又は不規則的に配置されている状態をいう。
本実施形態の反射層２３は、複数の円形状の反射膜２３ａが、第１斜面２２１ａに沿って規則的に配置されている。第１斜面２２１ａ上の反射層２３（複数の円形状の反射膜２３ａ）が形成されていない部分は、入射した光を透過する光透過部となる。
【００３２】
従来の透過型のスクリーンの反射層は、第１斜面の全面に設けられていたため、反射率及び透過率の調整は、誘電体膜の場合、使用する材料を変更等することによって行われていたが、材料の変更だけでは反射率及び透過率を十分に所望な値に調整することができない場合があった。
これに対して、本実施形態のスクリーン１０は、第１斜面２２１ａの面積に対する複数の円形状の反射膜２３ａが占める面積の割合を調整することによって、スクリーン１０に入射する光の反射率及び透過率を調整することができる。これにより、上述のような誘電体膜の材料を変更する等の調整が不要になり、より効率よく反射層の反射率及び透過率を調整することができる。
【００３３】
なお、図５（ａ）では、円形状の反射膜２３ａの直径が、単位光学形状２２１の配列ピッチＰ１（第１斜面２２１ａの配列方向の幅）よりも小さく、第１斜面２２１ａ上に複数の円形状の反射膜２３ａが形成される例を示したが、これに限定されるものでない。例えば、図５（ｂ）に示すように、円形状の反射膜２３ａの直径が、単位光学形状２２１の配列ピッチＰ１（第１斜面２２１ａの配列方向の幅）よりも大きく、円形状の反射膜２３ａが、隣接する第１斜面２２１ａ上にまたがるようにして形成されるようにしてもよい。
【００３４】
本実施形態のスクリーン１０は、第１斜面２２１ａの反射層２３に入射した光の一部を拡散反射するとともに、その他を拡散させることなく透過させ、また、第１斜面２２１ａの反射層２３が形成されていない部分（光透過部）に入射した光をそのまま透過させる。これにより、スクリーン１０は、映像源ＬＳから投射された映像光を観察者Ｏ１側に拡散反射させるとともに、車外の景色等の外光を、反射層だけでなく反射層が形成されていない部分（光透過部）によって観察者Ｏ１側に透過させることができる。そのため、車内にいる運転手等の搭乗者（観察者Ｏ１）は、映像源ＬＳから投射された映像を視認するとともに、車外の景色をより鮮明に視認することができる。
【００３５】
本実施形態の第１斜面２２１ａのうち反射層２３（複数の円形状の反射膜２３ａ）が形成される部位には、微細かつ不規則な凹凸形状が形成されており、反射層２３は、この微細かつ不規則な凹凸形状に追従して形成され、その凹凸形状を維持した状態で成膜されている。そのため、反射層２３の光学形状層２２側（映像源側）の面及び充填層２４側（背面側）の面は、微細かつ不規則な凹凸形状を有する粗面となっている。これにより、反射層２３は、入射した光の一部を微細かつ不規則な凹凸形状により拡散して反射させ、反射しない他の光を拡散させることなく透過させる。
なお、この凹凸形状は、微細な凸形状と凹形状とが２次元方向に不規則に配列されて形成されており、凸形状及び凹形状は、その大きさや形状、高さ等は不規則である。
【００３６】
反射層２３は、入射した光の一部を反射し、他の一部を透過させる、いわゆるシースルーの反射層とするために、本実施形態では、単層の誘電体膜により形成されている。誘電体膜は、例えば、ＺｎＳ（硫化亜鉛）、ＴｉＯ２（二酸化チタン）、Ｎｂ２Ｏ５（五酸化ニオブ）、Ｔａ２Ｏ５（五酸化タンタル）、ＳｉＯ２（二酸化ケイ素）、ＭｇＦ２（フッ化マグネシウム）等により形成される。誘電体膜の膜厚は、約２０〜１００ｎｍである。
この反射層２３は、可視光の波長域の光に対して、その反射率が約５〜２０％、透過率が約８０〜９５％である。なお、スクリーン１０全体としてみた場合、スクリーン１０の表面における反射成分（約１０％）も存在するので、スクリーン１０全体としての透過率は約７０〜８５％となる。
反射層２３は、アルミニウム等の金属蒸着膜等により形成された反射層に比べて、高い透明性を有しており、また、光の吸収損失が小さく、高い反射率を実現でき、光の利用効率が高い。本実施形態の反射層２３は、ＺｎＳ（硫化亜鉛）の誘電体膜により形成されている。
反射層２３は、第１斜面２２１ａ上に複数の円形状の反射膜２３ａが規則的に配置される例を示したが、これに限定されるものでなく、不規則に配置されるようにしたり、円形以外の形状の反射膜が規則的又は不規則に配置されるようにしたりしてもよい。
なお、本実施形態では、映像光の観察者側への反射に直接寄与しないので、反射層２３が、第２斜面２２１ｂ上に設けられていない例を示すが、これに限定されるものでなく、反射層２３が第２斜面２２１ｂ上にも設けられるようにしてもよい。
【００３７】
充填層２４は、光学形状層２２及び反射層２３の背面側（−Ｚ側）に設けられた光透過性を有する層である。
充填層２４は、単位光学形状２２１間の谷部を埋めるように形成されており、光学形状層２２及び反射層２３の背面側（−Ｚ側）の面を平坦としている。したがって、充填層２４の映像源側（＋Ｚ側）の面は、光学形状層２２の単位光学形状２２１の略逆型の形状が複数配列されて形成されている。
このような充填層２４を設けることにより、反射層２３を保護することができる。またスクリーン１０に充填層２４を設けることにより、フロントウインドウ２の２枚のガラス板（３１、３４）に中間層（３２、３３）を介してスクリーン１０を挟持する場合に、スクリーン１０とガラス板とをより強固に接合させることができる。
【００３８】
充填層２４の屈折率は、光学形状層２２の屈折率と等しい、又は、略等しい（等しいとみなせる程度に屈折率差が小さい）ことが望ましい。また、充填層２４は、光学形状層２２と同じ紫外線硬化型樹脂を用いて形成することが好ましいが、異なる材料により形成してもよい。
本実施形態の充填層２４は、光学形状層２２と同じ材料（紫外線硬化型樹脂）により形成され、その屈折率が光学形状層２２の屈折率に等しい。
なお、上述のように、反射層２３は、複数の島状（円形状の反射膜２３ａ）により構成されており、光学形状層２２の第１斜面２２１ａのうち、円形状の反射膜２３ａが形成されていない部分（光透過部）は、光学形状層２２と充填層２４とが直接接触することとなり、光学形状層２２に対する充填層２４の密着をより強固にすることができる。
【００３９】
本実施形態のスクリーン１０は、例えば、以下のような製造方法により製造される。
図６は、第１実施形態の反射層２３の製造方法の一例を示す図である。
まず、基材層２１を用意し、その一方の面に、単位光学形状２２１を賦形する成形型に紫外線硬化型樹脂を充填した状態で積層し、紫外線を照射して紫外線硬化型樹脂を硬化させるＵＶ成形法により光学形状層２２を形成する。このとき、単位光学形状２２１を賦形する成形型の第１斜面２２１ａを賦形する面には、微細かつ不規則な凹凸形状が形成されている。この微細かつ不規則な凹凸形状は、成形型の第１斜面２２１ａを賦形する面に、めっき処理やエッチング処理、ブラスト処理等を１回以上行うことによって形成できる。
【００４０】
それから、次の反射層２３の形成に備えて、図６に示すように、反射層２３を構成する複数の円形状の反射膜２３ａに対応する位置に貫通孔Ｈが設けられたマスクＭを、光学形状層２２上に積層配置する。
なお、作製された基材層２１及び光学形状層２２からなる積層体がウェブ状である場合、この積層体は、反射層２３の形成工程の前に、ロール体に巻き取られる場合がある。このような場合、上記積層体がマスクＭとともに巻き取られていれば、光学形状層２２が汚損されたり、傷付いたりするのを抑制することができ、その後の反射層２３の形成工程において、反射膜の蒸着不良等の不具合が生じてしまうのを極力防ぐことができる。
【００４１】
続いて、単位光学形状２２１上にマスクＭを配置した状態で、誘電体膜を蒸着又はスパッタ加工する等により、所定の厚さの反射層２３（複数の円形状の反射膜２３ａ）が第１斜面２２１ａ上に形成される。
なお、反射層２３は、これに限らず、例えば、アルミニウム、クロム（Ｃｒ）、銀、ニッケル等の光反射性の高い金属を蒸着したり、光反射性の高い金属をスパッタリングしたり、金属箔を転写したりする等により形成してもよい。例えば、反射層２３にアルミニウムを用いる場合、膜厚を十分に厚く（０．１μｍ以上）することにより、入射光の反射率が７０〜８０％程度となり、入射光の吸収率が約２０％程度となる。この場合において、第１斜面２２１ａ上における反射層２３の面積の占める割合を２０％としたとき、第１斜面２２１ａの全面における反射層２３による反射率が１４〜１６％、吸収率が約４％となり、反射層２３における入射光の吸収を極力抑制した上で、入射光の反射及び透過の割合を調整することができる。また、このように、反射層２３の膜厚を十分に厚くすることにより、膜厚の変動が起因となる斑模様等が生じてしまうのを防ぐことができる。
なお、金属材料による反射層２３の反射率（透過率）は、その膜厚を変化させることにより調整することができる。具体的には膜厚を薄くすれば、透過率が向上するが、反射率が低下し、膜厚を厚くすれば、反射率が向上するが、透過率は低下する。
【００４２】
次に、反射層２３の上から、単位光学形状２２１間の谷部を充填して平面状となるように紫外線硬化型樹脂を塗布し、紫外線を照射して紫外線硬化型樹脂を硬化させ、充填層２４を形成する。以上により、スクリーン１０が完成する。
なお、単位光学形状２２１の第１斜面２２１ａには、上述したように微細な凹凸形状が形成されているので、第１斜面２２１ａ上に形成された反射層２３の両面には微細な凹凸形状が形成される。また、第１斜面２２１ａ上の反射層２３が形成されていない部分の凹凸形状は、充填層２４の樹脂が充填されることによってほとんど目立たなくなり、完成したスクリーン１０においては、第１斜面２２１ａの反射層２３が形成されていない部分に入射した光を拡散させることなく透過させることができる。
【００４３】
次に、フロントウインドウ２（スクリーン１０）に入射する主な光の動作について説明する。
図７は、第１実施形態のフロントウインドウ２（スクリーン１０）の画面上下方向（Ｙ方向）における映像光及び外光の様子を説明する図である。図７では、スクリーン１０の幾何学的中心点Ａを通り単位光学形状２２１の配列方向（Ｙ方向）及びスクリーンの厚み方向（Ｚ方向）に平行な断面での断面の一部を拡大して示している。また、図７では、理解を容易にするために、フロントウインドウ２及びスクリーン１０の層構成を簡略化してスクリーン１０内の単位光学形状２２１及び反射層２３のみを示し、フロントウインドウ２及びスクリーン１０内の各層の界面における屈折率差はないものとして示している。
【００４４】
フロントウインドウ２の下方に位置する映像源ＬＳから投射された映像光Ｌ１のうち、一部の映像光Ｌ２は、フロントウインドウ２に入射する際にフロントウインドウ２の表面で反射し、フロントウインドウ２の映像源側の上方（＋Ｙ側）へ向かい、観察者（自動車ＶＣの搭乗者）Ｏ１には届かない。
映像光Ｌ１のうち、フロントウインドウ２に入射した一部の映像光Ｌ３は、スクリーン１０の単位光学形状２２１の第１斜面２２１ａに入射して反射層２３によって拡散反射して、車内側（＋Ｚ側）に出射し、観察者Ｏ１に観察される。
【００４５】
第１斜面２２１ａの反射層２３に入射した映像光のうち反射しなかった一部の映像光Ｌ４は、反射層２３を透過し、拡散することなくスクリーン１０の背面側（−Ｚ側）へ向かい、車外の上方へ出射する。
映像光のうち第１斜面２２１ａの反射層２３が形成されていない部分（光透過部）に入射した光は、そのままスクリーン１０を透過し、フロントウインドウ２の背面側（−Ｚ側）の面から車外の上方へ出射する（図示せず）。
【００４６】
なお、本実施形態では、映像源ＬＳがスクリーン１０よりも下方に位置し、映像光Ｌ１がスクリーン１０の下方から投射され、かつ、第２斜面２２１ｂがスクリーン面に平行な面となす角度θ２（図２参照）がスクリーン１０の画面上下方向の各点における映像光の入射角度よりも大きいので、映像光が第２斜面２２１ｂに直接入射することはなく、第２斜面２２１ｂは、映像光の反射にはほとんど影響しない。
【００４７】
次に、フロントウインドウ２（スクリーン１０）に入射する映像光以外の外界からの光（以下、外光という）について説明する。
フロントウインドウ２に入射する自動車ＶＣの車外の景色等の外光のうち第１斜面２２１ａの反射層２３が形成されていない部位（光透過部）に入射した外光Ｇ１は、そのままスクリーン１０を透過し、フロントウインドウ２の映像源側（＋Ｚ側）の面から車内へと出射し、観察者Ｏ１に観察される。
また、自動車ＶＣの車外の景色等の外光のうち第１斜面２２１ａの反射層２３に入射した外光Ｇ２のうち一部の外光Ｇ３は、反射層２３を透過し、拡散することなくスクリーン１０の映像源側（＋Ｚ側）へ向かい車内へ出射して、観察者Ｏ１に観察される。
外光Ｇ２のうち外光Ｇ３以外の一部の外光Ｇ４は、反射層２３により反射して、フロントウインドウ２の背面側（−Ｚ側）の面から車外の上方へ出射する。
【００４８】
フロントウインドウ２の車内側上方から入射する車内照明等の外光Ｇ５のうち、一部の外光Ｇ６は、フロントウインドウ２の表面等で反射し、フロントウインドウ２の車内側の下方（−Ｙ側）へ出射するので、観察者Ｏ１に観察されることはない。
また、外光Ｇ５のうち別な一部の外光Ｇ７は、反射層２３で反射し、一部はフロントウインドウ２の車内側（映像源側、＋Ｚ側）の面で全反射してフロントウインドウ２内を下方へ向かい、次第に減衰する。更に、外光Ｇ５のうち他の一部の外光Ｇ８は、反射層２３を透過して、拡散することなくフロントウインドウ２の背面側（−Ｚ側）の面から車外の下方（−Ｙ側）へ出射する。
【００４９】
フロントウインドウ２の背面側（車外側）の上方から入射する太陽光等の外光Ｇ９のうち一部の外光Ｇ１０は、一部がフロントウインドウ２の表面等で反射し、フロントウインドウ２の背面側の下方（−Ｙ側）へ向かう。また、外光Ｇ９のうち別な一部の外光Ｇ１１は、反射層２３で反射し、一部はフロントウインドウ２の背面側（−Ｚ側）の面から車外の下方へ出射する。更に、外光Ｇ９のうち他の一部の外光Ｇ１２は、反射層２３を透過して、拡散することなくフロントウインドウ２の映像源側（車内側、＋Ｚ側）の面から車内の下方（−Ｙ側）へ出射するので、観察者Ｏ１に観察されることはない。
以上より、本実施形態のスクリーン１０（フロントウインドウ２）は、映像源ＬＳから投射された映像光を車内の搭乗者（観察者Ｏ１）に表示するとともに、車外の景色等の外光を車内側に透過させ、搭乗者に鮮明に観察させることができる。
【００５０】
ここで、従来の半透過型のスクリーンは、反射層の映像源側に拡散粒子を含有する拡散層を備えていたため、映像光は、反射層による反射前後で２回拡散されるので、良好な視野角が得られる一方で映像の解像度が低下するという問題があった。また、拡散粒子によって外光も拡散されるため、スクリーンの背面側（車外側）の景色がぼやけたり、白くにじんだりして観察され、透明性が低下する。これに対して、本実施形態のスクリーンは、反射層において入射光を拡散反射させているので、映像の解像度の低下を極力抑制するとともに、車外側の景色等の外光を鮮明に車内側に透過させることができる。
【００５１】
以上、本実施形態のスクリーン１０は、以下のような効果を奏する。
本実施形態のスクリーン１０は、単位光学形状２２１の映像光が入射する位置（第１斜面２２１ａ）に、複数の島状に形成される反射層２３、すなわち、複数の円形状の反射膜２３ａが形成されている。これにより、映像源ＬＳから投射された映像光を、反射層２３により観察者Ｏ１側に反射させるとともに、スクリーン１０の背面側の景色等の外光の一部を、反射層及び単位光学形状の反射層が形成されていない部分（光透過部）を拡散させることなく透過させて観察者Ｏ１側に出射することができる。そのため、観察者Ｏ１（自動車ＶＣの搭乗者）に対して、映像源ＬＳの映像を表示するとともに、スクリーン１０の背面側の景色をより鮮明に観察させることができる。
【００５２】
また、スクリーン１０は、光学形状層２２及び反射層２３の背面側の面に、光透過性を有し、配列された複数の単位光学形状２２１間の凹凸を埋める充填層２４を備えるので、背面側の反射層２３を保護することができる。また、スクリーン１０の背面側の面を平坦にすることができるので、例えば、スクリーン１０を、合わせガラスを構成する２枚のガラス板に挟持させたり、スクリーン１０をガラス板に貼付したりする場合に、隙間なくスクリーン１０をガラス板に対して配置することができる。
【００５３】
更に、スクリーン１０は、光学形状層２２の単位光学形状２２１が同心円状に複数配列されたサーキュラーフレネルレンズ形状であり、その光学的中心Ｃ１が当該反射スクリーンの表示領域外に位置している。これにより、スクリーン１０は、スクリーン１０の表示領域外であって画面上下方向下側に位置する短焦点型の映像源ＬＳから投射された入射角度の大きい映像光であっても、画面左右方向の映像が暗くなることがなく、明るさの面均一性の高い良好な映像を表示することができる。
また、スクリーン１０は、反射層２３が誘電体膜により形成されているので、反射層２３に入射した光の吸収を極力抑制して、入射光の一部を反射するとともに、他の一部をスクリーン１０の背面側に透過させることができ、入射光の利用効率を向上させることができる。
【００５４】
（第２実施形態）
図８は、第２実施形態のスクリーン４０の層構成を説明する図である。図８では、スクリーン４０の画面中央となる点Ａを通り、画面上下方向（Ｙ方向）及び厚み方向（Ｚ方向）に平行な断面を示している。
第２実施形態のスクリーン４０は、第１実施形態のスクリーン１０が２枚（以下、第１スクリーン部１０Ａ、第２スクリーン部１０Ｂという）、接合層１１を介して接合されている点以外は、前述の第１実施形態のスクリーン１０と同様の形態である。したがって、第１実施形態と同様の機能を果たす部分には、同一の符号又は末尾に同一の符号を付して、重複する説明を適宜省略する。
【００５５】
第２実施形態のスクリーン４０は、図８に示すように、第１スクリーン部１０Ａと、第１スクリーン部１０Ａの背面側に位置する第２スクリーン部１０Ｂとを備え、これらが接合層１１によって一体に接合されている。より具体的には、第１スクリーン部１０Ａの背面側の充填層２４と、第２スクリーン部１０Ｂの映像源側の基材層２１とが、接合層１１によって接合されている。
接合層１１は、光透過性の高い粘着剤又は接着剤により形成された層であり、スクリーン４０の厚み方向において、第１スクリーン部１０Ａと第２スクリーン部１０Ｂとの間に設けられている。この接合層１１は、第１スクリーン部１０Ａと第２スクリーン部１０Ｂとを一体に接合している。
本実施形態のスクリーン４０の第１スクリーン部１０Ａ及び第２スクリーン部１０Ｂは、それぞれの光学的中心が一致するようにして互いに接合されている。
また、第１スクリーン部１０Ａ及び第２スクリーン部１０Ｂの各単位光学形状は、同一の形状に形成されている。したがって、各スクリーン部の焦点位置（集光点）は、略一致する。
【００５６】
ここで、透明性を有するスクリーンは、投射瞳径が小さい映像源等により高輝度の映像光を投射した場合には、シンチレーション（スペックル）が生じやすい傾向を有する。
しかし、本実施形態のスクリーン４０では、第１スクリーン部１０Ａと第２スクリーン部１０Ｂとは、同じ表示領域に同じ映像を表示しており、かつ、同じ映像を表示する光が、異なる２つの光路を通ってスクリーン１０から出射するので、シンチレーション（スペックル）が低減される。
よって、映像のシンチレーション（スペックル）を低減し、明るく良好な映像を表示できるスクリーン４０及び映像表示装置１とすることができる。
また、本実施形態のスクリーン４０は、上述の第１実施形態のスクリーン１０と同様の効果を奏する。
【００５７】
（第２実施形態の別な形態１）
上述の第２実施形態では、第１スクリーン部１０Ａ及び第２スクリーン部１０Ｂの焦点位置（集光点）が、略一致する例を示したが、これに限らず、以下のような形態としてもよい。
図９は、第２実施形態のスクリーン４０の別の形態を説明する図である。図９は、別な形態のスクリーン４０の第１スクリーン部１０Ａと第２スクリーン部１０Ｂとの焦点位置（集光点）を示す図である。図９では、スクリーン４０を画面左右方向の右上側（＋Ｚ側）から見た様子を示している。
【００５８】
スクリーン４０は、第１スクリーン部１０Ａ及び第２スクリーン部１０Ｂの焦点位置（集光点）が、厚み方向（Ｚ方向）において異なるようにしてもよい。
本実施形態では、図９に示すように、第２スクリーン部１０Ｂの集光点Ｆ２は、第１スクリーン部１０Ａの集光点Ｆ１よりも厚み方向（Ｚ方向）においてスクリーン４０から離れた側（＋Ｚ側）に位置している。即ち、本実施形態のスクリーン４０では、第２スクリーン部１０Ｂの光学形状層２２が有するサーキュラーフレネルレンズ形状は、第１スクリーン部１０Ａの光学形状層２２が有するサーキュラーフレネルレンズ形状とは、その形状や光学設計が異なり、集光点の位置が異なる設計となっている。
【００５９】
そのため、第２スクリーン部１０Ｂの光学形状層２２の単位光学形状２２１を形成する第１斜面、第２斜面の角度θ１、θ２等は、この集光点Ｆ２に対応して設計されている。したがって、光学的中心（Ｃ１）からの距離ｒが等しい点に位置する第１スクリーン部１０Ａの単位光学形状２２１と第２スクリーン部１０Ｂの単位光学形状２２１とでは、それぞれ角度θ１が相違している。
【００６０】
また、この形態では、第２スクリーン部１０Ｂの単位光学形状２２１の配列ピッチＰ２の値は、第１スクリーン部１０Ａの単位光学形状２２１の配列ピッチＰ１の値とは異なり、例えば、配列ピッチＰ１の値の１．４倍となっている。このように、第１スクリーン部１０Ａの単位光学形状２２１の配列ピッチＰ１と第２スクリーン部１０Ｂの単位光学形状２２１の配列ピッチＰ２とを異ならせることにより、第１スクリーン部１０Ａの表示する映像の映像光と第２スクリーン部１０Ｂが表示する映像の映像光との干渉によるモアレを改善できる。モアレ改善のためには、一方の配列ピッチを他方の配列ピッチの１．４倍や２．４倍とすることが好ましい。
なお、この形態では、配列ピッチＰ１と配列ピッチＰ２とは異なる値である例を示したが、これに限らず、同じ値としてもよい。
【００６１】
このような形態とすることにより、第１スクリーン部１０Ａと第２スクリーン部１０Ｂとが表示する同じ映像を、異なる位置に集光させることができ、異なる位置の観察者に良好な映像を表示できる。
したがって、この別な形態によれば、前述の第２実施形態によって得られる効果に加えて、さらに、異なる２つの位置に向けて映像光を集光でき、異なる２つの位置の観察者に良好な映像を表示できる。
【００６２】
なお、上述のように異なる２つの位置へ映像光を集光する場合には、第１スクリーン部１０Ａ及び第２スクリーン部１０Ｂの反射光の輝度分布（視野角分布）において、ピーク輝度に対する半値全幅が１５°以下であることが好ましい。これにより、映像光の集光性を高めて、集光点に位置する観察者により明るく明瞭な映像を表示することができる。
【００６３】
（第２実施形態の別な形態２）
図１０は、第２実施形態のスクリーン４０の別な形態２を説明する図である。
図１０（ａ）に示すように、第１スクリーン部１０Ａと第２スクリーン部１０Ｂの焦点位置（集光点）Ｆ１，Ｆ２は、画面左右方向（Ｘ方向）において異なっていてもよい。このような形態とすることにより、画面左右方向の視野角を広げることができる。また、このような形態は、例えば、画面左右方向の寸法が画面上下方向の寸法より大きい横長のスクリーンにおいて好適である。
【００６４】
また、図１０（ｂ）に示すように、第１スクリーン部１０Ａの集光点Ｆ１と第２スクリーン部１０Ｂの集光点Ｆ２とは、画面上下方向（Ｙ方向）において異なっていてもよい。このような形態とすることにより、画面上下方向の視野角を広げることがでる。また、このような形態は、例えば、画面上下方向の寸法が画面左右方向の寸法より大きい縦長のスクリーンにおいて好適である。
また、集光点Ｆ１，Ｆ２は、画面左右方向（Ｘ方向）及び厚み方向（奥行き方向、Ｚ方向）で異なっていてもよいし、画面上下方向（Ｙ方向）及び奥行き方向（Ｚ方向）で異なっていてもよいし、画面上下方向（Ｙ方向）及び画面左右方向（Ｘ方向）で異なっていてもよい。
また、集光点Ｆ１，Ｆ２は、いずれか一方が無限遠となっていてもよい。
【００６５】
このように集光点Ｆ１，Ｆ２が異なる場合には、それに合わせて、第１スクリーン部１０Ａの光学形状層２２及び第２スクリーン部１０Ｂの光学形状層２２のサーキュラーフレネルレンズ形状を設計する。したがって、フレネルセンターとなる光学的中心は、その設計に応じて、スクリーン面の法線方向から見て一致していてもよいし、一致していなくともよい。
【００６６】
例えば、第１スクリーン部１０Ａの光学形状層２２と第２スクリーン部１０Ｂの光学形状層２２とは、サーキュラーフレネルレンズ形状は同じであるが、そのフレネルセンターとなる点（光学的中心）がスクリーン面の法線方向から見て異なる位置にあってもよい。また、第１スクリーン部１０Ａの光学形状層２２と第２スクリーン部１０Ｂの光学形状層２２とは、サーキュラーフレネルレンズ形状が異なり、さらに、そのフレネルセンターとなる点（光学的中心）がスクリーン面の法線方向から見て異なる位置にある形態でもよい。
さらに、例えば、集光点Ｆ１，Ｆ２の位置が一致する（又は、略一致する）が、各スクリーン部の第１斜面の角度θ１の角度分布や、光学的中心の位置が異なる形態としてもよい。
【００６７】
（変形形態）
以上説明した各実施形態に限定されることなく、種々の変形や変更が可能であって、それらも本発明の範囲内である。
（１）上述の各実施形態では、スクリーン１０、４０は、自動車ＶＣのフロントウインドウ２に配置される例で説明したが、これに限定されるものでなく、自動車ＶＣのサイドウインドウや、リアウインドウ等に用いられるようにしてもよく、また、自動車以外の乗り物、例えば、航空機や、鉄道等のウインドウに用いられるようにしてもよい。
【００６８】
（２）上述の各実施形態において、スクリーン１０の単位光学形状２２１は、サーキュラーフレネルレンズ形状に形成される例を説明したが、これに限定されるものでなく、リニアフレネルレンズ形状としてもよい。また、サーキュラーフレネルレンズ形状の光学的中心をスクリーン１０の画面領域外に配置する例を説明したが、これに限定されるものでなく、光学的中心が、スクリーン１０の画面領域内に存在するようにしてもよい。
【００６９】
（３）上述の各実施形態では、反射層２３は、単層の誘電体膜により構成される例を示したが、これに限定されるものでなく、誘電体の多層膜により構成されるようにしてもよい。この場合、反射層２３は、屈折率の高い誘電体膜（以下、高屈折率誘電体膜という）と屈折率が低い誘電体膜（以下、低屈折率誘電体膜という）とが交互に複数積層されて形成された形態となる。
高屈折率誘電体膜は、例えば、ＴｉＯ２（二酸化チタン）、Ｎｂ２Ｏ５（五酸化ニオブ）、Ｔａ２Ｏ５（五酸化タンタル）等により形成される。高屈折率誘電体膜の屈折率は、２．０〜２．６程度である。
低屈折率誘電体膜は、例えば、ＳｉＯ２（二酸化ケイ素）、ＭｇＦ２（フッ化マグネシウム）等により形成される。低屈折率誘電体膜の屈折率は、１．３〜１．５程度である。
【００７０】
（４）第２実施形態において、第１スクリーン部１０Ａの表示領域と、第２スクリーン部１０Ｂの表示領域とは、スクリーン４０の正面方向から見てスクリーン４０の画面（表示領域）と一致している例を挙げて示したが、これに限らず、例えば、第１スクリーン部１０Ａの表示領域と第２スクリーン部１０Ｂの表示領域とは、一部が重複しており、スクリーン４０の正面方向（Ｚ方向、スクリーン面の法線方向）から見て、その重複する領域の面積は、スクリーン４０の画面（表示領域）の面積の５０％よりも大きい形態としてもよい。このような形態としても、シンチレーションの改善は期待できる。
なお、スクリーン１０の画面に表示される映像のシンチレーションを低減し、良好な映像を表示する観点から、第１スクリーン部の表示領域と第２スクリーン部の表示領域との重複する領域の面積は、スクリーン４０の画面（表示領域）の面積の９０％以上とすることがより好ましい。
【００７１】
（５）各実施形態において、映像源ＬＳは、例えば、スクリーン１０、４０の斜め下側等に配置され、スクリーン１０，４０に対して画面左右方向において斜め方向光から映像光を投射する形態としてもよい。このとき、映像源ＬＳの位置に合わせて単位光学形状２２１の配列方向は、傾いた形態となる。
このような形態とすれば、映像源ＬＳの位置等の自由度を向上させることができる。
【００７２】
（６）各実施形態において、単位光学形状２２１の第１斜面２２１ａ、第２斜面２２１ｂは、例えば、曲面と平面とが組み合わされた形態としてもよいし、折れ面状としてもよい。
また、単位光学形状２２１は、３つ以上の複数の面によって形成される多角形形状としてもよい。
【００７３】
（７）第２実施形態において、スクリーン１０を２枚積層する例を説明したが、これに限定されるものでなく、３枚以上積層するようにしてもよい。３枚のスクリーンは、それぞれ集光点が一致していてもよいし、相違していてもよい。
【００７４】
（８）上述の各実施形態において、映像表示装置１は、映像源ＬＳがプロジェクタであり、スクリーン１０が入射光を拡散反射させる反射層２３を有する例を説明したが、これに限定されるものでなく、映像源がＬＣＤ（Ｌｉｑｕｉｄ  Ｃｒｙｓｔａｌ  Ｄｉｓｐｌａｙ）等のマイクロディスプレイであり、スクリーンが入射光を鏡面反射させる反射層から構成されるいわゆるＨＵＤ（ヘッドアップディスプレイ）であってもよい。
【００７５】
なお、本実施形態及び変形形態は、適宜組み合わせて用いることもできるが、詳細な説明は省略する。また、本発明は以上説明した各実施形態によって限定されることはない。
【符号の説明】
【００７６】
１    映像表示装置
２    フロントウインドウ
１０、４０    スクリーン
１０Ａ    第１スクリーン部
１０Ｂ    第２スクリーン部
２１    基材層
２２    光学形状層
２２１    単位光学形状
２３    反射層
２４    充填層
３１    第１ガラス板
３２    第１中間層
３３    第２中間層
３４    第２ガラス板
ＬＳ    映像源
ＶＣ    自動車
【図１】
2020013044.tif 000003
【図２】
2020013044.tif 000004
【図３】
2020013044.tif 000005
【図４】
2020013044.tif 000006
【図５】
2020013044.tif 000007
【図６】
2020013044.tif 000008
【図７】
2020013044.tif 000009
【図８】
2020013044.tif 000010
【図９】
2020013044.tif 000011
【図１０】
2020013044.tif 000012